(57)【要約】【課題】展開シートの組立時における側板と妻板との固定強度を高め、かつ、単一の展開シートに底板、側板および妻板を形成して製造および組立の作業を精度よく簡単に行う。【解決手段】段ボール棺１０は、強化段ボール板からなる展開シートをＶ溝に沿って箱状に折り曲げて組み立てる。底板１２Ａの左右で側板１２Ｂ，１２Ｂがほぼ垂直に折り曲げられ、底板１２Ａの前後で妻板１２Ｃがほぼ垂直に折り曲げられる。側板１２Ｂには、妻板１２Ｃよりも展開シートの板厚分だけ底板１２Ａの前後方向中央側にズレた位置に垂直内向きに折り曲げられる挟み代板１２Ｅ，１２Ｅが設けられる。妻板１２Ｃには、挟み代板１２Ｅの上方でほぼ水平内向きに折り曲げられる架橋板１２Ｆと、この架橋板１２Ｆの先端からほぼ垂直下向きに折り曲げられて挟み代板１２Ｃの内側に重なる折返し板１２Ｇとが設けられる。【選択図】図６
0003134919.tif 000002
【実用新案登録請求の範囲】
【請求項１】
強化段ボール板からなる展開シートの縦横方向にＶ溝を形成し、このＶ溝に沿って展開シートを箱状に折り曲げて組み立てる段ボール棺であって、
矩形の底板と、
この底板の左右で縦Ｖ溝によりほぼ垂直に折り曲げられる矩形の側板と、
前記底板の前後で横Ｖ溝によりほぼ垂直に折り曲げられる矩形の妻板とを備え、
前記側板には、前記妻板よりも前記展開シートの板厚分だけ前記底板の前後方向中央側にズレた位置で、横Ｖ溝によりほぼ垂直内向きに折り曲げられて前記妻板の内側に重なる挟み代板が設けられ、
前記妻板には、前記挟み代板の上方で横Ｖ溝によりほぼ水平内向きに折り曲げられる架橋板と、この架橋板の先端から横Ｖ溝によりほぼ垂直下向きに折り曲げられて前記挟み代板の内側に重なる折返し板とが設けられることを特徴とする組立式段ボール棺。
【請求項２】
前記挟み代板の上端に、前記妻板の板幅とほぼ等しい幅で、かつ前記側板の上端から前記展開シートの板厚とほぼ等しい段差をもって前記架橋板を受け入れる凹溝部が設けられる、請求項１記載の組立式段ボール棺。
【請求項３】
前記挟み代板は、左右の前記側板の先端でほぼ垂直内向きに折り曲げられて、これらのの先端が互いに隣接するように構成され、かつ、これらの隣接部分には、一方の挟み代板の板面に連なって突出するパズルピース片と、他方の挟み代板の板面に切り欠かれて開口し、前記パズルピース片に嵌合するパズルピース嵌合部とが設けられる、請求項１または２記載の組立式段ボール棺。
【請求項４】
前記展開シートには、左右のいずれか片側の前記側板および前記挟み代板の板面に、前記底板の側端から所定の間隔を保って前後方向の直線上に連なる折畳用の切れ目が設けられる、請求項１〜３のいずれか一項記載の組立式段ボール棺。
【請求項５】
強化段ボール板からなる展開シートの縦横方向にＶ溝を形成し、このＶ溝に沿って展開シートを箱状に折り曲げて組み立てる段ボール棺であって、
矩形の底板と、
この底板の左右に縦Ｖ溝によりほぼ垂直に折り曲げられる矩形の側板と、
前記底板の前後に横Ｖ溝によりほぼ垂直に折り曲げられる矩形の妻板とを備え、
前記妻板には、前記展開シートの板厚分だけ左右方向中央側にズレた位置で、縦Ｖ溝によりほぼ垂直内向きに折り曲げられて前記側板の内側に重なる挟み代板が設けられ、
前記側板には、前記挟み代板の上方で縦Ｖ溝によりほぼ水平内向きに折り曲げられる架橋板と、この架橋板の先端から縦Ｖ溝によりほぼ垂直下向きに折り曲げられて前記挟み代板の内側に重なる折返し板とが設けられることを特徴とする組立式段ボール棺。
【考案の詳細な説明】
【技術分野】
【０００１】
本考案は、段ボール棺に関するもので、詳しくは、強化段ボール板の展開シートを折り曲げて組み立てる簡易組立式の段ボール棺に関するものである。
【背景技術】
【０００２】
従来より、木製棺に代わる棺として段ボール棺が知られている。段ボール棺は、木製棺に比べ軽量で燃焼性に優れ、段ボール板の折り曲げ加工により簡単に組み立てることができるため、環境に優しい葬送品として注目されている。
【０００３】
最近では、段ボール棺の材料として、特殊な樹脂等を含浸させた多層構造の強化段ボール板が採用され始めている。そして、このような強化段ボール板にＶ溝加工を施して展開シートを作製し、このＶ溝に沿って展開シートを折り曲げるようにした段ボール棺が提案されている。
【０００４】
例えば図１４および図１５に示すように、従来の段ボール棺１は、棺本体２と蓋３とが強化段ボール板により形成される。これらのうち棺本体２は、強化段ボール板からなる展開シートＰ0（図１５参照）を箱状に折り曲げて組み立てる。
【０００５】
図１５に示すように、展開シートＰ0は、矩形の底板２Ａの左右に側板２Ｂ，２Ｂが設けられ、底板２Ａの前後に妻板２Ｃ，２Ｃが設けられる。底板２Ａの各辺には、側板２Ｂおよび妻板２Ｃとの境界に沿って縦Ｖ溝ｙ0、横Ｖ溝ｘ0がほぼ９０゜角でＶ字状にカットされる。図１５の状態から底板２Ａに対し側板２Ｂと妻板２Ｃを縦Ｖ溝ｙ0、横Ｖ溝ｘ0でほぼ垂直に折り曲げ、これらのＶ溝面を接着剤、接着テープ等で固定して図１４に示す棺本体２を完成させる。
なお、側板２Ｂおよび妻板２Ｃの先端でＷ溝（ほぼ９０゜角にカットされたＶ溝を２列に並設して形成した溝）に沿って折り返される枠板２Ｄは、棺本体２の開口部を補強するためのものである。
【０００６】
その他、段ボール棺の先行技術としては、特許文献１および２が開示されている。
【０００７】
【特許文献１】特開２０００−４２０６４号公報
【特許文献２】特開２００５−１８７０４９号公報
【考案の開示】
【考案が解決しようとする課題】
【０００８】
しかしながら、上記のような従来の段ボール棺では、棺本体２を組み立てる場合、側板２Ｂと妻板２Ｃとの固定強度を十分に確保しにくい。すなわち、側板２Ｂおよび妻板２ＣのＶ溝面同士の接触面積が小さく、これらの板の起立姿勢が倒れやすいため、側板２Ｂと妻板２Ｃとの固定強度を十分に高めることができないという問題がある。
【０００９】
これに対し、特許文献１および２に開示されるように、板同士の連結部分に凹溝やフックを設けて固定強度を高める技術も知られているが、これらの段ボール棺では、展開シートから妻板が分離して形成されるため、部品点数が増えて段ボール棺の製造および組立の作業が煩雑になる。特に、妻板部品を展開シート側に後付けする場合、妻板の向きや固定位置がズレて寸法精度が低下しやすい。
【００１０】
本考案は、このような現状に鑑みなされたもので、展開シートの組立時における側板と妻板との固定強度を高めるとともに、単一の展開シートに底板、側板および妻板を形成して製造および組立の作業を精度よく簡単に行えるようにした組立式段ボール棺を提供することを目的としている。
【課題を解決するための手段】
【００１１】
［第１考案］
前記課題を解決するための第１考案の組立式段ボール棺は、
強化段ボール板からなる展開シートの縦横方向にＶ溝を形成し、このＶ溝に沿って展開シートを箱状に折り曲げて組み立てる段ボール棺であって、
矩形の底板と、
この底板の左右で縦Ｖ溝によりほぼ垂直に折り曲げられる矩形の側板と、
前記底板の前後で横Ｖ溝によりほぼ垂直に折り曲げられる矩形の妻板とを備え、
前記側板には、前記妻板よりも前記展開シートの板厚分だけ前記底板の前後方向中央側にズレた位置で、横Ｖ溝によりほぼ垂直内向きに折り曲げられて前記妻板の内側に重なる挟み代板が設けられ、
前記妻板には、前記挟み代板の上方で横Ｖ溝によりほぼ水平内向きに折り曲げられる架橋板と、この架橋板の先端から横Ｖ溝によりほぼ垂直下向きに折り曲げられて前記挟み代板の内側に重なる折返し板とが設けられる構成とした。
【００１２】
本考案の段ボール棺を組み立てる場合、例えばまず、底板の左右で縦Ｖ溝に沿って側板を垂直に折り曲げ、さらに、この側板の前後で挟み代板を垂直内向きに折り曲げる。次いで、この挟み代板を抱き込むように、妻板、架橋板および折返し板を横Ｖ溝に沿ってそれぞれほぼ９０゜角に折り曲げて挟み代板の外側と内側にそれぞれ妻板と折返し板を重ねる。
【００１３】
このような構成によれば、挟み代板の外側と内側にそれぞれ妻板と折返し板を重ねることで、これらの板面に広い範囲で接触面を確保することができる。これにより、側板と妻板との固定強度を高めて段ボール棺の耐荷重性を向上させることができる。
なお、段ボール棺の固定手段としては、接着剤、接着テープ等を用いることが望ましいが、本発明の構成では、組み立て後に折返し板が段ボール棺の内部で上方に跳ね上がらないようにすれば、必ずしも上記固定手段を用いなくともよい。例えば、折返し板の幅を底板の幅とほぼ等しくして、互いに向き合う側板の間に押し込むようにするか、段ボール棺の内部に落とし蓋のように内底板を落とし込んで折返し板の先端を止めることで、折返し板の上方への跳ね上がりを防止してもよい。
【００１４】
また、第１考案の構成によれば、底板、側板および妻板に加えて挟み代板、架橋板および折返し板を単一の展開シート（ワンシート）で形成することができるため、低コストで効率よく段ボール棺を製造することが可能になる。また、展開シートを縦Ｖ溝および横Ｖ溝に沿って折り曲げるだけでて寸法精度の高い段ボール棺を簡単に組み立てることができる。
【００１５】
さらに、本考案の構成では、挟み代板が側板の前後で展開シートの板厚分だけ妻板よりも内側にズレた位置で折り曲げられるため、展開シートが板厚が大きなものであっても、挟み代板と妻板とが干渉し合うことがなく、これらの板の折曲げおよび固定の作業を簡単に行うことができる。
【００１６】
［第２考案］
第２考案の組立式段ボール棺は、第１考案の構成を備えるものであって、
前記挟み代板の上端に、前記妻板の板幅とほぼ等しい幅で、かつ前記側板の上端から前記展開シートの板厚とほぼ等しい段差をもって前記架橋板を受け入れる凹溝部が設けられる構成とした。
【００１７】
このような構成によれば、挟み代板の上方に架橋板を架け渡す際に、凹溝部に架橋板がぴったり嵌まる。このため妻板と側板との境界部分に段差がなくなり、段ボール棺の外観の見栄えを良好にすることができる。また、妻板と側板の上に棺の蓋を載せやすくすることができる。
【００１８】
［第３考案］
第３考案の組立式段ボール棺は、第１または２考案の構成を備えるものであって、
前記挟み代板は、左右の前記側板の先端でほぼ垂直内向きに折り曲げられて、これらのの先端が互いに隣接するように構成され、かつ、これらの隣接部分には、一方の挟み代板の板面に連なって突出するパズルピース片と、他方の挟み代板の板面に切り欠かれて開口し、前記パズルピース片に嵌合するパズルピース嵌合部とが設けられる構成とした。
【００１９】
このような構成によれば、左右の挟み代板を突き合わせてパズルピース片をパズルピース嵌合部に噛み合わせると、これらの挟み代板が同一平面上に仮止めした状態で保持される。このため、段ボール棺の組立作業、特に挟み代板に妻板、架橋板および折返し板を固定する作業が行いやすくなる。
また、パズルピース片とパズルピース嵌合部とを噛み合わせることで、左右の側板が外側に引っ張られても、左右の挟み代板が妻板、架橋板および折返し板の固定部から抜けるのが防止され、段ボール棺の固定強度をさらに向上させることができる。
【００２０】
［第４考案］
第４考案の組立式段ボール棺は、第１〜３考案のいずれか一の構成を備えるものであって、
前記展開シートには、左右のいずれか片側の前記側板および前記挟み代板の板面に、前記底板の側端から所定の間隔を保って前後方向の直線上に連なる折畳用の切れ目が設けられる構成とした。
【００２１】
展開シートを保管・運搬等する場合には、底板、側板および妻板の各板をＶ溝に沿って組立時とは反対側に折り返して折り畳むことがある。例えば底板の下側に左右の側板を折り返して重ねると、展開シートの形態がコンパクトになりその取扱が容易になる。
ところが、第１〜３考案の構成では、底板、側板および妻板に加えて挟み代板、架橋板および折返し板が展開シートに含まれるため、上記のように展開シートを折り畳もうとすると、これらの板が邪魔になって展開シートがコンパクトな形態にならないことが起こりうる。
【００２２】
第４考案の構成によれば、まず、底板の下側に左右の一方（折畳用の切れ目が存在しない方）の側板を１８０゜折返し、同時にこの側板の前後の挟み代板を、妻板の下側に重ねる。
次に、この妻板の前後の架橋板および折返し板を、断面コの字状になるように横Ｖ溝に沿って外向きに１８０゜折り返して、前述の挟み代板の下側に折返し板を重ねる。
このような状態で、他方（折畳用の切れ目が存在する方）の側板を、縦Ｖ溝と折畳用の切れ目とによりで１８０゜折り返して、先に折り返された一方の側板の下側にもって来る。すると、この側板の前後の挟み代板が前述の折返し板の下側に重なる。
このような手順によることで、展開シートを重ねてコンパクトに折り畳むことができ、保管・運搬等の取り扱いを容易にすることができる。
【００２３】
なお、第４考案の構成では、折畳用の切れ目が側板に設けられる点で、このような切れ目が底板に設けられる構成（特許文献２の図５参照）とは異なる。
折畳用の切れ目が底板に存在すると、荷重が側板の切れ目付近に作用したときに棺の変形、破断等が生じやすくなる。これに対し、本考案の構成では、上記切れ目を側板側に配置しているため、段ボール棺の構造的な強度をより高く保つことが可能になる。
【００２４】
［第５考案］
前述した第１〜４考案では、展開シートにおいて側板の前後に挟み代板を設け、妻板の前後に架橋板および折返し板を設けているが、下記の第５考案に示すように、これらの位置関係を逆に配置してもよい。
このような構成によっても、第１考案と同様な作用・効果を得ることができる。
【００２５】
すなわち、第５考案の組立式段ボール棺は、
強化段ボール板からなる展開シートの縦横方向にＶ溝を形成し、このＶ溝に沿って展開シートを箱状に折り曲げて組み立てる段ボール棺であって、
矩形の底板と、
この底板の左右に縦Ｖ溝によりほぼ垂直に折り曲げられる矩形の側板と、
前記底板の前後に横Ｖ溝によりほぼ垂直に折り曲げられる矩形の妻板とを備え、
前記妻板には、前記展開シートの板厚分だけ左右方向中央側にズレた位置で、縦Ｖ溝によりほぼ垂直内向きに折り曲げられて前記側板の内側に重なる挟み代板が設けられ、
前記側板には、前記挟み代板の上方で縦Ｖ溝によりほぼ水平内向きに折り曲げられる架橋板と、この架橋板の先端から縦Ｖ溝によりほぼ垂直下向きに折り曲げられて前記挟み代板の内側に重なる折返し板とが設けられる構成とした。
【００２６】
第１〜５考案の組立式段ボール棺は、強化段ボールからなる展開シートをＶ溝に沿って箱状に折り曲げる段ボール棺に適用することができる。通常は、段ボール棺の本体と蓋体のうち、本体側に本考案を適用されることが想定されるが、蓋体が箱状になっている場合には、段ボール棺の蓋体に本考案を適用してもよい。
段ボール棺の用途（人用、ペット用等）や種類（寝棺、座棺等）は、特に限定されることはない。
【００２７】
第１〜５考案は、必要に応じて単独で適用してもよいし、これらの考案を組み合わせて適用してもよい。また、本明細書に記載される他の考案を組み合わせてもよい。
【考案を実施するための最良の形態】
【００２８】
以下、本考案の実施の形態を図面に基づいて説明する。本実施形態は、段ボール棺の本体に本考案を適用したものである。
【００２９】
［第１実施形態］
図１に示すように、段ボール棺１０は、棺本体１２と蓋１３とからなる。棺本体１２の上方に蓋１３が載置される。蓋１３の前寄りの位置には、窓１４が設けられる。この窓１４の扉を開くことで棺の内部が覗けるようになっている。
段ボール棺１０の寸法は、例えば長さが１７０〜２００ｃｍ程度、幅が５０〜７０ｃｍ程度、棺本体１２と蓋１３を含めた高さが４０〜５０ｃｍ程度である。
【００３０】
棺本体１２および蓋１３は、強化段ボール板により形成される。強化段ボール板としては、例えば、板厚１０〜２０ｍｍ程度の三層強化段ボール材（例えばトライウォール社製）が採用される。図２のＲ部分拡大図に示すように、強化段ボール板は、２枚の厚板（ライナー）Ｒb，Ｒfとの間に、３層の波板ｒ1〜ｒ3が仕切り板ｒ4およびｒ5を介して積層されてなる。厚板（ライナー）Ｒb，Ｒfが樹脂材料で強化されることで、強化段ボール板の耐圧性・耐水性が高められている。
折曲げ用のＶ溝加工は、これらの層のうち厚板Ｒf，Ｒbのいずれかを残して他の層を回転刃等を用いて切削することにより行う。段ボール板を折り曲げる際には、残した片方の厚板（ライナー）のみを折り曲げて、Ｖ溝の傾斜する溝面を互いに密着させる。Ｖ溝の溝角がほぼ９０゜になるようにＶ溝加工を施せば、隣り合う板同士がほぼ垂直に折れ曲がる。また他のＶ溝の形成方法としては、プレス機等で段ボール板を断面Ｖ字状に圧縮してもよい。
【００３１】
段ボール棺１０の表面には、必要に応じて布やフィルムなどの化粧シートが貼り付けられる。このような化粧仕上げ施すことで、段ボール棺１０の質感が高められる。
【００３２】
図１に示すように、棺本体１２は、底板１２Ａと、この底板１２Ａの左右に向き合う側板１２Ｂ，１２Ｂと、底板１２Ａの前後に向き合う妻板１２Ｃ，１２Ｃとを有している。側板１２Ｂ，１２Ｂの上部には、一定の板幅で補強用の枠板１２Ｄが内側に折り返されている（図２参照）。棺本体１２の水平な上端面には、平板状の蓋１３がほぼ水平に載置される。
【００３３】
棺本体１２を組み立てるための展開シートＰ1を図３に示した。なお、図３は、展開シートＰ1の前側部分を示しているが、後側についても同様な構造を有している。
【００３４】
図３に示すように、展開シートＰ1には、矩形の底板１２Ａの左右に側板１２Ｂ，１２Ｂが設けられ、底板１２Ａの前後に妻板１２Ｃが設けられる。底板１２Ａと側板１２Ｂ，１２Ｂとの境界に縦Ｖ溝ｙ1，ｙ1が形成される。底板１２Ａと妻板１２Ｃとの境界には横Ｖ溝ｘ1が形成される。
側板１２Ｂ，１２Ｂの前後には、横Ｖ溝ｘ2を隔てて挟み代板１２Ｅ，１２Ｅが設けられる。挟み代板１２Ｅ，１２Ｅは、基本的には矩形の板面を有しており、妻板１２Ｃの左右板幅のほぼ半分の長さでその前後方向（図３で上下）に延びる。
【００３５】
図４に示すように、挟み代板１２Ｅの横Ｖ溝ｘ2は、妻板１２Ａの横Ｖ溝ｘ1よりも展開シートＰ1の板厚ｄ分だけ内側にズレた位置に設定される。これにより、挟み代板１２Ｅを横Ｖ溝ｘ2で垂直に折り曲げると、挟み代板１２Ｅの外側面が底板１２Ａの板面先端位置Ｌに来る。これにより、展開シートＰ1の板厚が大きくても、挟み代板１２Ｅと妻板１２Ａとが互いに干渉し合うことなく、前後に重なった位置に立ち上がる。
【００３６】
図３に示すように、挟み代板１２Ｅ，１２Ｅの先端部には、パズルピース片１２ｐと、パズルピース嵌合部１２ｈとが設けられる。パズルピース片１２ｐは、一方の挟み代板１２Ｅの先端から延び、他方の挟み代板１２Ｅの先端に切り欠かれたパズルピース嵌合部１２ｈに嵌まる（図６，図８参照）。パズルピース片１２ｐとパズルピース嵌合部１２ｈの根元付近は、両端から内向きに湾曲状にくびれており、これらのくびれ部分が引っ掛かって両者の係合状態を保つ。
【００３７】
妻板１２Ａ，１２Ａの前後には、横Ｖ溝ｘ3およびｘ4を隔てて架橋板１２Ｆおよび１２Ｇが設けられる。架橋板１２Ｆおよび折返し板１２Ｇの図３で左右方向の幅は、妻板１２Ａと等しい。架橋板１２Ｆの前後方向の長さは、展開シートＰ1の板厚にほぼ等しく、折返し板１２Ｇの前後方向の長さは、妻板１２Ａよりも展開シートＰ1の板厚分だけ短く設定されている。
【００３８】
展開シートＰ1の左右両端部には、Ｗ溝（ほぼ９０゜角にカットされたＶ溝を２列に並設して形成した溝）により枠板１２Ｄが折り返されている（図３参照）。枠板１２Ｄは、棺本体１２の開口端部を補強するものである。
【００３９】
棺本体１２を組み立てる場合、例えばまず、図５に示すように、底板１２Ａの左右で縦Ｖ溝ｙ1，ｙ1（図３参照）に沿って側板１２Ｂ，１２Ｂをほぼ垂直に折り曲げて立ち上げる。このとき、同時に側板１２Ｂ，１２Ｂの前後で挟み代板１２Ｅ，１２Ｅが垂直に保たれる。
次いで、これらの挟み代板１２Ｅ，１２Ｅを横Ｖ溝ｘ2に沿って観音扉状にほぼ垂直に折り曲げ、これらの先端を突き合わせる。このとき、図６に示すように、パズルピース片１２ｐをパズルピース嵌合部１２ｈに嵌め合わせることで、挟み代板１２Ｅ，１２Ｅが同一平面状に仮止めされることになる。
【００４０】
底板１２Ａの前後で挟み代板１２Ｅ，１２Ｅを折り曲げた後、図７に示すように、妻板１２Ｃを横Ｖ溝ｘ1に沿って折り曲げて上方に起こし、その先端で架橋板１２Ｆを横Ｖ溝ｘ3で折り曲げ、さらにその先端で折返し板１２Ｇを横Ｖ溝ｘ4で内向きに折り曲げる。そして、図９に示すように、挟み代板１２Ｅを抱き込むように各板を断面コの字状に折り曲げ、互いの板面を密着させて接着剤、接着テープ等で固定する。そして、必要に応じて他の板の接触部についても接着剤、接着テープ等で固定する。具体的には、縦Ｖ溝ｙ1、横Ｖ溝ｘ1〜ｘ4、Ｗ溝の各固定部、パズルピース片１２ｐとパズルピース嵌合部１２ｈとの固定部、枠板１２Ｄの固定部等についても接着剤、接着テープ等で補強することが望ましい。
【００４１】
展開シートＰ1の折曲げ順序については、上記に限定されることなく、側板１２Ｂ，１２Ｂよりも先に挟み代板１２Ｅを折り曲げるようにしてもよい。展開シートＰ1が図１に示す箱形状に折り曲げられるものであれば折曲げ順序は問わない。
【００４２】
ここで、図６に示すように、仮止め状態の挟み代板１２Ｅ，１２Ｅの上端部には、凹溝部１２ｓが形成される。凹溝部１２ｓは、妻板１２Ｃの板幅とほぼ等しい幅で、側板１２Ｂ，１２Ｂの上端から展開シートＰ1の板厚と等しい段差に形成される。
これにより、挟み代板１２Ｅ，１２Ｅの上方に架橋板１２Ｆを架け渡すと、凹溝部１２ｓに架橋板１２Ｆがぴったり嵌って妻板１２Ｃと側板１２Ｂ，１２Ｂとの境界部分に段差がなくなり、両者の上端面が均一な高さに揃う。そして、棺本体１２の上端に蓋１３を水平状態で安定的に載置することが可能になる。
【００４３】
このように段ボール棺１０によれば、側板１２Ｂの先端で折り曲げられる挟み代板１２Ｅに、妻板１２Ｃ、架橋板１２Ｆおよび折返し板１２Ｇの各板面を広く接触させることができる。このため、各板の固定強度を高めて段ボール棺１０の耐荷重性を大幅に向上させることができる。
【００４４】
また、段ボール棺１０によれば、底板１２Ａ、側板１２Ｂおよび妻板１２Ｃに加えて挟み代板１２Ｅ、架橋板１２Ｆおよび折返し板１２Ｇを単一の展開シート（ワンシート）で形成することができるため、低コストで効率よく段ボール棺１０を製造することが可能になる。また、展開シートＰ1を縦Ｖ溝ｙ1および横Ｖ溝ｘ1〜ｘ4に沿って折り曲げるだけで、寸法精度の良好な段ボール棺１０を簡単に組み立てることができる。
【００４５】
さらに、段ボール棺１０では、挟み代板１２Ｅ，１２Ｅが妻板１２Ｃよりも底板１２Ａの前後方向中央側に展開シートＰ1の板厚分だけズレた位置にあるから、これらの折り曲げ部分で各板が邪魔し合うことがない。このため、展開シートＰ1の板厚が大きくても、挟み代板１２Ｅ，１２Ｅと妻板１２Ａとの折り曲げかつ固定の作業を簡単かつスムーズに行うことができる。
【００４６】
次に、展開シートＰ1の折り畳み方法を説明する。
展開シートＰ1を折り畳んで保管・運搬等する場合には、組立時とは反対側に各板を折り畳むことにより展開シートＰ1をコンパクトな形態にする。
【００４７】
この場合、例えば図３に示すように、左右の側板１２Ｂ，１２Ｂおよび挟み代板１２Ｅ，１２Ｅのうちの片側の板面であって図３の二点鎖線の位置に折畳用の切れ目Ｋを入れる。この切れ目Ｋは、底板１２Ａの側端から展開シートＰ1の所定間隔（展開シートＰ1の板厚２枚以上の幅）を保って前後方向の直線上に連なる。展開シートＰ1の各Ｖ溝と同様に、最も下のライナー層（図２の符号Ｒｆ参照）を残して他の層をカッター等で平面的に切断する。
【００４８】
図１０は、展開シートＰ1を折り畳む工程を説明するための断面図で、図１０（Ａ）および（Ｃ）は展開シートＰ1の横断面図、図１０（Ｂ）は展開シートＰ1の妻板付近の部分縦断面図である。なお、図１０（Ａ）では、展開シートＰ1の構造を分かりやすくするため、側板１２Ｂ，１２Ｂを垂直に起こした状態で描いている。
【００４９】
展開シートＰ1を折り畳む場合、図１０（Ａ）矢印ａに示すように、まず、底板１２Ａの下側に右側の側板１２Ｂを外向きに折返して重ね、同時にこの側板１２Ｂの前後の挟み代板１２Ｅを外向きに折り返して妻板１２Ｃの下側に折り返して重ねる（図１０（Ｂ）参照）。
【００５０】
次いで、図１０（Ｂ）矢印ｂに示すように、妻板１２Ｃ、架橋板１２Ｆおよび折返し板１２Ｇを横Ｖ溝ｘ3，ｘ4に沿って外側に向けて断面コの字状に折り返し、前述の挟み代板１２Ｅの下に折返し板１２Ｇを重ねる。
【００５１】
このような状態で、図１０（Ｃ）矢印ｃに示すように、切れ目Ｋのある左側の側板１２Ｂを縦Ｖ溝ｙ1と切れ目Ｋとにより断面コの字状に折り返す。すると、側板１２Ｂの前後の挟み代板１２Ｅが前述の折返し板１２Ｇ（図１０（Ｃ）参照）の下側に重なることになる。
【００５２】
このように展開シートＰ1に底板１２Ａの側端から所定間隔だけ離れた位置に切れ目Ｋを入れることで、挟み代板１２Ｅや折返し板１２Ｇが邪魔になることなく、展開シートＰ1を４枚分の板厚に重ねてコンパクトに折り畳むことができる。これにより、展開シートＰ1の保管・運搬等の取り扱いを容易にすることができる。
【００５３】
［第２実施形態］
次に、本考案の第２実施形態を図１１〜図１３に示した。
第２実施形態の段ボール棺２０は、妻板１２Ｃの左右に挟み代板１２Ｅ，１２Ｅを設け、側板１２Ｂ，１２Ｂの左右に架橋板１２Ｆおよび折返し板１２Ｇを設けたものである。
【００５４】
図１１に示すように、段ボール棺２０の展開シートＰ2は、底板１２Ａの左右に縦Ｖ溝ｙ1を隔てて側板１２Ｂ，１２Ｂが設けられる。底板１２Ａの前後には横Ｖ溝ｘ1を隔てて妻板１２Ｃが設けられる。
【００５５】
妻板１２Ｃの左右には、縦Ｖ溝ｙ2を隔てて舌板状の挟み代板１２Ｅ，１２Ｅが設けられる。縦Ｖ溝ｙ2は、縦Ｖ溝ｙ1よりも展開シートＰ2の板厚分だけ内側にズレた位置にあり、これにより挟み代板１２Ｅ，１２Ｅが側板１２Ｂ，１２Ｂよりも展開シートＰ2の板厚分だけ左右方向の中央側で折り曲げられることになる。
【００５６】
側板１２Ｂ，１２Ｂの左右には、それぞれ縦Ｖ溝ｙ3，ｙ4を隔てて架橋板１２Ｆおよび折返し板１２Ｇが設けられる。架橋板１２Ｆは、展開シートＰ2の板厚分の幅を有し、折返し板１２Ｇは、側板１２Ｂの左右板幅よりも展開シートＰ2の板厚分だけ短い。
【００５７】
段ボール棺２０を組み立てる場合、例えば図１２に示すように、底板１２Ａの左右で側板１２Ｂ，１２Ｂを立ち上げ、架橋板１２Ｆおよび折返し板１２Ｇを断面コの字状に折り曲げる。このとき、折返し板１２Ｇの下端は、側板１２Ｂの高さより板厚一枚分だけ短いため、底板１２Ａの板面に載った状態となる。
次いで、妻板１２Ｃの前後でＷ溝ｘ5（図１１参照）に沿って枠板１２Ｄを１８０゜折り返し、左右の挟み代板１２Ｅ、１２Ｅをほぼ垂直に立ち上げて、側板１２Ｂ、架橋板１２Ｆおよび折返し板１２Ｇで囲まれる矩形空間に挿入しつつ、ほぼ垂直になる位置まで立ち上げる（図１３参照）。
【００５８】
第２実施形態の段ボール棺２０によれば、妻板１２Ｃの左右の挟み代板１２Ｅ，１２Ｅを、側板１２Ｂ、架橋板１２Ｆおよび折返し板１２Ｇの板面に広い範囲で接触させることができる。このため、これらの接触部分を接着剤、接着テープ等で固定することで、段ボール棺２０の耐荷重性を高めることができる。
また、単一の展開シートＰ2に各板が形成されるから、段ボール棺２０の組立を精度よく簡単に行うことができる。
さらには、挟み代板１２Ｅの折り曲げ位置が側板１２Ｂよりも底板１２Ａの左右方向の中央側に展開シートＰ2の板厚分だけズレて設定されるため、展開シートＰ2の板厚が大きくても、側板１２Ｂと挟み代板１２Ｅとを左右方向に重ねて垂直に保つことができ、展開シートＰ2の折り曲げ作業を行いやすくすることができる。
【００５９】
［変形例］
以上、第１および第２実施形態を説明したが、本考案の実施形態はこれらに限定されることなく、下記の通り種々の変形・変更を伴ってもよい。
例えば、図９（Ａ）および（Ｂ）に示すように、棺本体１２の内側に、底板１２Ａの板面とほぼ等しい形状の内底板Ｊを落とし込むようにしてもよい。このような構成では、内底板Ｊの前後方向の先端で折返し板１２Ｇの先端を止めて上方への跳ね上がりを防止することができる。このため、接着剤、接着テープ等を使用しなくとも、棺本体１２の箱形状を強固に固定することが可能になる。
その他の形態としては、第１および第２実施形態において、枠板１２Ｄについては、必ずしも設ける必要はなく、必要に応じて省略した構成としてもよい。
第１および第２実施形態では、棺本体１２に本考案を適用しているが、蓋１３が箱状である場合には、蓋１３に本考案を適用してもよい。
さらに、展開シートＰ1，Ｐ2を作製するための段ボール材は、三層強化段ボールに限られず、その他の多層段ボール材、ハニカム構造の段ボール材等を用いてもよい。
【図面の簡単な説明】
【００６０】
【図１】本考案の第１実施形態の段ボール棺を示す斜視図である。
【図２】同段ボール棺を示すもので図１の［２］−［２］線断面図およびＲ部分の拡大断面図である。
【図３】同段ボール棺の棺本体を組み立てるための展開シートを示す部分平面図およびその破線方向の端面図である。
【図４】図３のＱ部分を示す拡大平面図およびその破線方向の端面図である。
【図５】同棺本体の組み立て手順を説明するもので、側板および挟み代板を立ち上げて向き合わせた様子を示す斜視図である。
【図６】同棺本体の組み立て手順を説明するもので、挟み代板を内向きに折り曲げて仮止めした様子を示す斜視図である。
【図７】同棺本体の組み立て手順を説明するもので、妻板、架橋板および折返し板を折り曲げて挟み代板に重ねる様子を示す斜視図である。
【図８】同棺本体を前方側からみた正面図である。
【図９】同棺本体の妻板付近の断面構造を示すもので、（Ａ）は図８［９Ａ］−［９Ａ］方向の部分断面図、（Ｂ）は図８［９Ｂ］−［９Ｂ］方向の部分断面図である。
【図１０】同棺本体の展開シートを折り畳む工程を説明するもので、図１０（Ａ）および（Ｃ）は展開シートＰの横断面図、図１０（Ｂ）は展開シートＰ1の妻板付近の部分縦断面図である。
【図１１】本考案の第２実施形態を示すもので、段ボール棺を組み立てるための展開シートを示す部分平面図である。
【図１２】同棺本体の組み立て手順を説明するもので、側板、架橋板および折返し板で囲まれる矩形空間に挟み代板を挿入する前の様子を示す斜視図である。
【図１３】同棺本体の組み立て手順を説明するもので、側板、架橋板および折返し板で囲まれる矩形空間に挟み代板を挿入した後の様子を示す斜視図である。
【図１４】従来の段ボール棺を示す斜視図である。
【図１５】同段ボール棺の棺本体を組み立てるための展開シートを示す平面図および破線方向の端面図である。
【符号の説明】
【００６１】
１０，２０  段ボール棺
１２      棺本体
１３      蓋
１４      窓枠
１２Ａ    底板
１２Ｂ，１２Ｂ  側板
１２Ｃ    妻板
１２Ｄ    枠板
１２Ｅ    挟み代板
１２Ｆ    架橋板
１２Ｇ    折返し板
１２ｐ    パズルピース片
１２ｈ    パズルピース嵌合部
１２ｓ    凹溝部
Ｐ1，Ｐ2    展開シート
ｘ1〜ｘ4    横Ｖ溝
ｙ1〜ｙ4    縦Ｖ溝
【図１】
0003134919.tif 000003
【図２】
0003134919.tif 000004
【図３】
0003134919.tif 000005
【図４】
0003134919.tif 000006
【図５】
0003134919.tif 000007
【図６】
0003134919.tif 000008
【図７】
0003134919.tif 000009
【図８】
0003134919.tif 000010
【図９】
0003134919.tif 000011
【図１０】
0003134919.tif 000012
【図１１】
0003134919.tif 000013
【図１２】
0003134919.tif 000014
【図１３】
0003134919.tif 000015
【図１４】
0003134919.tif 000016
【図１５】
0003134919.tif 000017